(57)【要約】【課題】  直感的かつ簡単な操作で、販売計画に関する各構成要素の数値を決定する。【解決手段】  表示制御部は、表示装置の１画面に、複数の構成要素のそれぞれの数値からなる数値群と、数値に応じた面積を割り当てた領域で各構成要素を示すグラフとを表示させ、また、グラフにおけるある構成要素の領域４１ａ〜４１ｆの端部４２ａ〜４２ｅを移動させるユーザによる移動操作に基づき、その領域４１ａ〜４１ｆの面積を変動させて表示させ、さらに、その領域４１ａ〜４１ｆの面積の変動に応じてその領域４１ａ〜４１ｆに対応する構成要素の数値を変動させて表示させる。また、データ処理部は、グラフにおけるある構成要素の領域４１ａ〜４１ｆの端部４２ａ〜４２ｅを移動させるユーザによる移動操作に基づき、販売計画データにおける構成要素の数値を変更する。【選択図】  図３
2008112427.tif 000002
【特許請求の範囲】
【請求項１】
販売計画データをグラフおよび数値で表示する販売計画支援装置において、
前記販売計画データにおける所定の項目についてその項目に属する複数の構成要素の一覧を表示装置に表示させる表示制御部と、
ユーザによる操作に基づき前記販売計画データを変更するデータ処理部とを備え、
前記表示制御部は、前記表示装置の１画面に、前記複数の構成要素のそれぞれの数値からなる数値群と、前記数値に応じた面積を割り当てた領域で各構成要素の値を表すグラフとを表示させ、また、前記グラフにおけるある構成要素の領域の端部を移動させる移動操作に基づき、その領域の面積を変動させて表示させ、さらに、その領域の面積の変動に応じて、前記数値群においてその領域に対応する構成要素の数値を変動させて表示させ、
前記データ処理部は、前記数値群における数値の変動に対応させて、前記販売計画データにおける前記構成要素の数値を変更すること、
を特徴とする販売計画支援装置。
【請求項２】
前記表示制御部は、前記表示装置の１画面に、前記複数の構成要素のそれぞれの構成比率からなる数値群と、前記構成比率に応じた面積を割り当てた領域で各構成要素の構成比率を表す１本の棒グラフとを表示させ、また、前記棒グラフにおける２つの領域の境界を移動させる移動操作に基づき、その境界の両側の領域の面積を変動させて表示させ、さらに、それらの領域の面積の変動に応じて、前記数値群においてそれらの領域に対応する構成要素の構成比率を同時に変動させて表示させ、
前記データ処理部は、前記数値群における構成比率の変動に対応させて、前記販売計画データにおける前記構成要素の構成比率を変更すること、
を特徴とする請求項１記載の販売計画支援装置。
【請求項３】
前記表示制御部は、前記表示装置の１画面に、第１の項目についての前記複数の構成要素のそれぞれおよび第２の項目についての前記複数の構成要素のそれぞれの２次元状の構成比率からなる数値群と、前記第１の項目の前記構成要素の前記構成比率に応じた面積を割り当てた複数の領域を第１の方向へ配列させて前記第１の項目の前記構成要素の構成比率を表し、前記第１の項目のそれぞれの構成要素についての領域内において、前記第２の項目の前記構成要素の前記構成比率に応じた面積を割り当てた複数の領域を前記第１の方向とは垂直な第２の方向へ配列させて前記第２の項目の前記構成要素の構成比率を表すグラフとを表示させ、また、前記グラフにおける前記第１の方向または前記第２の方向に配列された２つの領域の境界を移動させる移動操作に基づき、その境界の両側の領域の面積を変動させて表示させ、さらに、それらの領域の面積の変動に応じて、前記数値群においてそれらの領域に対応する前記構成要素の構成比率を同時に変動させて表示させ、
前記データ処理部は、前記数値群における構成比率の変動に対応させて、前記販売計画データにおける前記構成要素の構成比率を変更すること、
を特徴とする請求項１記載の販売計画支援装置。
【請求項４】
前記表示制御部は、前記表示装置の１画面に、前記複数の構成要素としての複数の販売期間のそれぞれについての数値からなる数値群と、一方の軸方向に前記複数の販売期間を配列し他方の軸方向に前記数値に応じた長さを有する領域で各販売期間についての数値を表すグラフとを表示させ、また、前記グラフにおけるある販売期間の領域の端部を移動させる移動操作に基づき、その領域の面積を変動させて表示させ、さらに、その領域の面積の変動に応じて、前記数値群においてその領域に対応する販売期間についての数値を変動させて表示させることを特徴とする請求項１記載の販売計画支援装置。
【請求項５】
販売計画データをグラフおよび数値で表示する販売計画支援装置を使用した販売計画支援処理方法において、
前記販売計画データにおける所定の項目についてその項目に属する複数の構成要素の一覧を表示装置に表示させる表示ステップと、
ユーザによる操作に基づき前記販売計画データを変更するデータ処理ステップとを備え、
前記表示ステップでは、前記表示装置の１画面に、前記複数の構成要素のそれぞれの数値からなる数値群と、前記数値に応じた面積を割り当てた領域で各構成要素の値を表すグラフとを表示させ、また、前記グラフにおけるある構成要素の領域の端部を移動させる移動操作に基づき、その領域の面積を変動させて表示させ、さらに、その領域の面積の変動に応じて、前記数値群においてその領域に対応する構成要素の数値を変動させて表示させ、
前記データ処理ステップでは、前記数値群における数値の変動に対応させて、前記販売計画データにおける前記構成要素の数値を変更すること、
を特徴とする販売計画支援処理方法。
【発明の詳細な説明】
【技術分野】
【０００１】
本発明は、販売計画データをグラフおよび数値で表示する販売計画支援装置およびそのような装置で実行される販売計画支援処理方法に関するものである。
【背景技術】
【０００２】
従来、販売計画を行う場合、表計算プログラムなどを使用して、販売する商品、店舗といった項目について、その項目の構成要素となる商品ラインアップ、実店舗などの販売数量、売上額などを構成要素ごとに数値で入力する。そして、表計算プログラムに従ってコンピュータが、その数値の集計を行ったり、その数値を視覚化したグラフを表示したりする。
【０００３】
このような販売計画支援を自動化したシステムとしては、例えば特許文献１に記載のものがある。
【特許文献１】特開平８−９６０４５号公報（要約書等）
【発明の開示】
【発明が解決しようとする課題】
【０００４】
しかしながら、従来のようにして販売計画を行う場合、（１）表計算プログラムのテーブル内に数値を入力し、（２）それに基づいて表示されるグラフで全体的なバランスを確認し、（３）バランスを調整するために数値を再入力する、という一連の処理を繰り返す。このため、視覚的に構成要素の数値のバランスを把握しつつ、各構成要素の数値を調整することが難しく、直感的かつ簡単な操作で販売計画に関する各構成要素の数値を決定することが難しい。
【０００５】
本発明は、直感的かつ簡単な操作で、販売計画に関する各構成要素の数値をユーザが決定することを可能とする販売計画支援装置装置および販売計画支援処理方法を得ることを目的とする。
【課題を解決するための手段】
【０００６】
上記の課題を解決するために、本発明では以下のようにした。
【０００７】
本発明に係る販売計画支援装置は、販売計画データにおける所定の項目についてその項目に属する複数の構成要素の一覧を表示装置に表示させる表示制御部と、ユーザによる操作に基づき販売計画データを変更するデータ処理部とを備える。そして、表示制御部は、表示装置の１画面に、複数の構成要素のそれぞれの数値からなる数値群と、数値に応じた面積を割り当てた領域で各構成要素の値を表すグラフとを表示させ、また、グラフにおけるある構成要素の領域の端部を移動させる移動操作に基づき、その領域の面積を変動させて表示させ、さらに、その領域の面積の変動に応じて、数値群においてその領域に対応する構成要素の数値を変動させて表示させる。また、データ処理部は、数値群における数値の変動に対応させて、販売計画データにおける構成要素の数値を変更する。
【０００８】
また、本発明に係る販売計画支援装置は、上記の販売計画支援装置に加え、次のようにしてもよい。つまり、その場合、表示制御部は、表示装置の１画面に、複数の構成要素のそれぞれの構成比率からなる数値群と、構成比率に応じた面積を割り当てた領域で各構成要素の構成比率を表す１本の棒グラフとを表示させる。その上で、表示制御部は、棒グラフにおける２つの領域の境界を移動させる移動操作に基づき、その境界の両側の領域の面積を変動させて表示させ、さらに、それらの領域の面積の変動に応じて、数値群においてそれらの領域に対応する構成要素の構成比率を同時に変動させて表示させる。そして、データ処理部は、数値群における構成比率の変動に対応させて、販売計画データにおける構成要素の構成比率を変更する。
【０００９】
また、本発明に係る販売計画支援装置は、上記の販売計画支援装置のいずれかに加え、次のようにしてもよい。つまり、その場合、表示制御部は、表示装置の１画面に、第１の項目についての複数の構成要素のそれぞれおよび第２の項目についての複数の構成要素のそれぞれの２次元状の構成比率からなる数値群と、第１の項目の複数の構成要素の構成比率に応じた面積を割り当てた複数の領域を第１の方向へ配列させて第１の項目の構成要素の構成比率を表し、第１の項目のそれぞれの構成要素についての領域内において、第２の項目の構成要素の構成比率に応じた面積を割り当てた複数の領域を第１の方向とは垂直な第２の方向へ配列させて第２の項目の構成要素の構成比率を表すグラフとを表示させる。その上で、表示制御部は、グラフにおける第１の方向または第２の方向に配列された２つの領域の境界を移動させる移動操作に基づき、その境界の両側の領域の面積を変動させて表示させ、さらに、それらの領域の面積の変動に応じて、数値群においてそれらの領域に対応する構成要素の構成比率を同時に変動させて表示させる。そして、データ処理部は、数値群における構成比率に対応させて、販売計画データにおける構成要素の構成比率を変更する。
【００１０】
また、本発明に係る販売計画支援装置は、上記の販売計画支援装置のいずれかに加え、次のようにしてもよい。つまり、その場合、表示制御部は、表示装置の１画面に、複数の構成要素としての複数の販売期間のそれぞれについての数値からなる数値群と、一方の軸方向に複数の販売期間を配列し他方の軸方向に数値に応じた長さを有する領域で各販売期間についての数値を表すグラフとを表示させる。その上で、表示制御部は、グラフにおけるある販売期間の領域の端部を移動させる移動操作に基づき、その領域の面積を変動させて表示させ、さらに、その領域の面積の変動に応じて、数値群においてその領域に対応する販売期間についての数値を変動させて表示させる。
【００１１】
本発明に係る販売計画支援処理方法は、販売計画データにおける所定の項目についてその項目に属する複数の構成要素の一覧を表示装置に表示させる表示ステップと、ユーザによる操作に基づき販売計画データを変更するデータ処理ステップとを備える。そして、表示ステップでは、表示装置の１画面に、複数の構成要素のそれぞれの数値からなる数値群と、数値に応じた面積を割り当てた領域で各構成要素の値を表すグラフとを表示させ、また、グラフにおけるある構成要素の領域の端部を移動させる移動操作に基づき、その領域の面積を変動させて表示させ、さらに、その領域の面積の変動に応じて、数値群においてその領域に対応する構成要素の数値を変動させて表示させる。また、データ処理ステップでは、数値群における数値の変動に対応させて、販売計画データにおける構成要素の数値を変更する。
【発明の効果】
【００１２】
本発明によれば、直感的かつ簡単な操作で、販売計画に関する各構成要素の数値を決定することができる。
【発明を実施するための最良の形態】
【００１３】
以下、図に基づいて本発明の実施の形態を説明する。
【００１４】
実施の形態１．
図１は、本発明の実施の形態１に係る在庫管理装置の構成を示すブロック図である。図１において、ＣＰＵ１は、プログラムを実行し、プログラムに記述された処理を実行する演算処理装置である。また、ＲＯＭ２は、プログラムおよびデータを予め記憶した不揮発性のメモリである。また、ＲＡＭ３は、プログラムを実行する際にそのプログラムおよびデータを一時的に記憶するメモリである。
【００１５】
また、ＨＤＤ４は、図示せぬオペレーティングシステムや、販売計画支援プログラムなどのアプリケーションプログラムを格納する記録媒体としてのハードディスク駆動装置である。
【００１６】
また、インタフェース５は、データ格納装置１１を接続可能なインタフェース回路である。インタフェース６は、ネットワークインタフェースカード、モデムなどといった通信装置１２を接続可能なインタフェース回路である。インタフェース７は、キーボード、マウスなどといった入力装置１３を接続可能なインタフェース回路である。なお、インタフェース５としては、ＳＣＳＩ、ＩＤＥ互換のもの、ＩＥＥＥ１３９４、ＵＳＢなどといったインタフェースが使用される。また、インタフェース６としては、外部装置接続用のＵＳＢ、ＲＳ−２３２Ｃなどといったインタフェースが使用される。ただし、通信装置１２としてネットワークインタフェースカードなどのコンピュータに内蔵可能なものを使用する場合には、バス９に直接接続可能である。インタフェース７としては、ＰＳ／２インタフェース、ＵＳＢなどといったインタフェースが使用される。
【００１７】
また、画像処理回路８は、画像データを書き込まれると、そのデータに対応する画像信号を出力する回路である。この画像処理回路８には、その画像信号に基づいて画像を表示する表示装置１４が接続可能である。
【００１８】
バス９は、ＣＰＵ１、ＲＯＭ２、ＲＡＭ３、ＨＤＤ４、インタフェース５，６，７、および画像処理回路８を相互に接続する信号路である。バス９としては、ＰＣＩなどといった規格のバスが使用される。なお、バス９の本数、およびＣＰＵ１などのバス９への接続形態は、図１のものに限定されるものではない。
【００１９】
また、データ格納装置１１は、大容量のデータを格納可能な装置であって、販売実績データ２１および販売計画データ２２を格納する装置である。このように装置としては、ハードディスク駆動装置、ディスクアレイ装置などが使用される。
【００２０】
販売実績データ２１は、店舗ごと、ブランドごと、商品種類ごとなどといった項目の個別的な前年の販売実績（販売数量、販売金額、項目内構成比など）を示すデータである。また、販売計画データ２２は、図示せぬ販売支援プログラムに従ってユーザ操作に基づき決定される本年計画のデータであり、販売実績データ２１と同様の項目についてのデータである。
【００２１】
なお、例えば、パーソナルコンピュータを使用して本実施の形態に係る装置を実現する場合には、パーソナルコンピュータの筐体内に、ＣＰＵ１、ＲＯＭ２、インタフェース７およびバス９を少なくとも有するマザーボードが配置され、そのマザーボードに、ＲＡＭ３、ＨＤＤ４、インタフェース６を実装したカード、画像処理回路８を実装したグラフィックカードなどが接続される。また、データ格納装置１１は、インタフェース５とともにパーソナルコンピュータに内蔵させてもよいし、外部装置としてパーソナルコンピュータのインタフェース５に接続させるようにしてもよい。
【００２２】
図２は、ＨＤＤ４に格納されている販売計画支援プログラムがＣＰＵ１により実行されることで実現される処理部を示すブロック図である。図２において、操作検出部３１は、インタフェース７を介して入力装置１３からの信号を受け取り、入力装置１３に対して行われたユーザ操作およびその種類を検出する処理部である。
【００２３】
また、データ処理部３２は、ユーザによる操作に基づき、インタフェース５を介してデータ格納装置１１にアクセスし、販売実績データ２１の読み込み、並びに販売計画データ２２の読み書きおよび変更を行う処理部である。また、データ処理部３２は、操作検出部３１により検出された操作に応じて販売計画データ２２における各種項目の構成要素の数値（販売額、販売数量、それらの構成比率など）を変更する処理部である。
【００２４】
また、表示制御部３３は、販売実績データ２１に基づき前年の販売実績をグラフおよび数値群の両方で画像処理回路８を介して表示装置１４に表示させる処理部である。また、表示制御部３３は、販売実績と同一の画面に、販売計画のグラフおよび数値群を対比させて表示装置１４に表示させ、さらに、グラフにおけるある構成要素の領域の端部を移動させる移動操作が操作検出部３１により検出されると、その操作に基づき、その領域の面積を変動させて表示させ、さらに、その数値群において、その領域の面積の変動に応じてその領域に対応する構成要素の数値を変動させて表示させる処理部である。
【００２５】
次に、上記装置の動作について説明する。
【００２６】
まず、ＣＰＵ１は、ＨＤＤ４に格納されている図示せぬ販売計画支援プログラムを実行する。これにより、図２に示す各処理部が実現される。
【００２７】
そして、データ処理部３２は、販売実績データ２１を読み出し、表示制御部３３は、その販売実績データ２１に基づき、前年実績（昨年実績）を表示装置１４に表示させる。さらに、データ処理部３２は、販売計画データ２２を読み出し、表示制御部３３は、その販売計画データ２２に基づき、本年計画を、前年実績と対比させて同一画面で表示装置１４に表示させる。なお、販売計画データ２２がない場合には、販売実績データ２１を、販売計画データ２２の初期データとして使用する。
【００２８】
図３は、実施の形態１において販売計画を行うための表示装置１４の画面例を示す図である。図３に示すように、この画面では、店舗を項目とし、実店舗（「代々木本店」、「渋谷店」、「新宿店」、「原宿店」、「上野店」、「品川店」）を構成要素とした、販売数量の店舗構成比の前年実績と本年計画が表示されている。図３（Ａ）では、本年計画として、「代々木本店」が２８．３％、「渋谷店」が１４．３％、「新宿店」が７．６％、「原宿店」が２３．５％、「上野店」が２１％、「品川店」が５％となっており、それらの数値とその数値に応じた面積の領域４１ａ，４１ｂ，４１ｃ，４１ｄ，４１ｅ，４１ｆを有する構成比グラフ（棒グラフの一種）とが表示されている。この画面例では、グラフの各領域内に、その領域に対応する構成要素（ここでは店舗）の数値がテキストとして表示されている。
【００２９】
上述のような表示状態で、操作検出部３１により、グラフにおけるある構成要素の領域４１ａ〜４１ｆと隣接する構成要素の領域４１ａ〜４１ｆとの間の境界４２ａ〜４２ｅ、つまり、領域４１ａ〜４１ｆの端部を移動させるユーザによる移動操作が検出されると、その操作に連動して、その２つの領域４１ａ〜４１ｆの面積を変動させて表示させ、さらに、その２つの領域４１ａ〜４１ｆの面積の変動に応じてその２つの領域４１ａ〜４１ｆに対応する構成要素の数値をそれぞれ変動させて表示させる。そのような移動操作としては、入力装置１３のマウスに対するドラッグ操作で所望の境界４２ａ〜４２ｅを移動させる操作が考えられる。
【００３０】
図３の例では、例えば、図３（Ａ）の状態で境界４２ａが右方向（領域４１ｂ側）に移動すると、それに基づき、グラフの「代々木本店」の領域４１ａの面積が増加し「渋谷店」の領域４１ｂの面積が減少し、例えば図３（Ｂ）に示すようになる。このように、ユーザによる境界４２ａに対する移動操作に基づきグラフが変化する。
【００３１】
そして、ユーザによる境界４２ａに対する移動操作に基づきグラフが変化とともに、表示制御部３３は、そのグラフの変化に対応して、グラフとともに表示されている数値群の値を変化させて表示させる。上述の図３の例では、グラフが図３（Ａ）の状態から図３（Ｂ）の状態に変化すると（つまり境界４２ａが移動させられると）、グラフとともに表示されている「代々木本店」の数値が２８．３％から２５．３％へ変化し、「渋谷店」の数値が１４．３％から１７．３％へ変化する。
【００３２】
その後、データ処理部３２は、上述の境界４２ａ〜４２ｅを移動させるユーザによる移動操作に基づき、販売計画データ２２における構成要素の数値を変更する。上述の例のようにグラフが変化すると、データ処理部３２は、販売計画データ２２における店舗構成比のデータのうち、「代々木本店」の数値を２８．３％から２５．３％へ変更し、「渋谷店」の数値を１４．３％から１７．３％へ変更する。
【００３３】
以上のように、上記実施の形態１によれば、表示制御部３３は、表示装置１４の１画面に、複数の構成要素のそれぞれの数値からなる数値群と、数値に応じた面積を割り当てた領域で各構成要素を示すグラフとを表示させ、また、グラフにおけるある構成要素の領域４１ａ〜４１ｆの端部４２ａ〜４２ｅを移動させるユーザによる移動操作に基づき、その領域４１ａ〜４１ｆの面積を変動させて表示させ、さらに、その領域４１ａ〜４１ｆの面積の変動に応じてその領域４１ａ〜４１ｆに対応する構成要素の数値を変動させて表示させる。また、データ処理部３２は、グラフにおけるある構成要素の領域４１ａ〜４１ｆの端部４２ａ〜４２ｅを移動させるユーザによる移動操作に基づき、販売計画データ２２における構成要素の数値を変更する。
【００３４】
これにより、グラフにて全体のバランスを視覚的に確認しつつ各構成要素の数値を調整することができるため、直感的かつ簡単な操作で、販売計画に関する各構成要素の数値を決定することができる。
【００３５】
また、上記実施の形態１によれば、表示制御部３３は、表示装置１４の１画面に、複数の構成要素のそれぞれの構成比率からなる数値群（図３における領域４１ａ〜４１ｆ内の数値表示の集合）と、構成比率に応じた面積を割り当てた領域４１ａ〜４１ｆで各構成要素の構成比率を表す１本の棒グラフとを表示させる。その上で、表示制御部３３は、その棒グラフにおける２つの領域の境界４２ａ〜４２ｅを移動させる移動操作に基づき、その境界４２ａ〜４２ｅの両側の領域４１ａ〜４１ｆの面積を変動させて表示させ、さらに、それらの領域４１ａ〜４１ｆの面積の変動に応じて、数値群においてそれらの領域に対応する構成要素の構成比率（つまり表示されているテキストの数値）を同時に変動させて表示させる。そして、データ処理部３２は、数値群における構成比率の変動に対応させて、販売計画データ２２における構成要素の数値を変更する。
【００３６】
これにより、店舗などといった項目内で構成比率を視覚的に確認しつつ調整することができるため、直感的かつ簡単な操作で、販売計画に関する各構成要素の構成比率（例えば各店舗への割り当て比率）を決定することができる。
【００３７】
実施の形態２．
実施の形態１では１次元の構成比のグラフが操作可能に表示されるが、実施の形態２では、２次元の構成比のグラフが操作可能に表示される。なお、実施の形態２に係る販売計画支援装置の構成は、原則として実施の形態１のものと同様である。ただし、図示せぬ販売計画支援プログラムは以下の機能を実現するように変更される。
【００３８】
次に、実施の形態２に係る販売計画支援装置の動作を説明する。
【００３９】
実施の形態２では、表示制御部３３は、販売実績データ２１および販売計画データ２２に基づき、２つの項目の構成要素を２次元的に配して表示させる。つまり、表示制御部３３は、表示画面の横方向へ第１の項目について構成比率に応じた面積の領域を表示させるとともに、その各領域内において表示画面の縦方向へ第２の項目について構成比率に応じた面積の領域を表示させる。
【００４０】
図４は、実施の形態２において販売計画を行うための表示装置１４の画面例を示す図である。図４に示すように、表示装置１４には、１画面で、前年実績（昨年実績）と本年計画についてのグラフが表示されるとともに、そのグラフ内の各領域の面積に対応した数値群を含むテーブルが表示される。図４に示す本年計画のグラフでは、表示画面の横方向へ第１の項目としてのブランドの構成要素（「Ｊ−Ｏｎｅ」、「Ｊ−Ｔｗｏ」など）について構成比率に応じた面積の領域６１を表示させるとともに、その各領域内において表示画面の縦方向へ第２の項目としての商品種類の構成要素（「スーツ」、「ジャケット」など）について構成比率に応じた面積の領域６２を表示させる。また、図４に示すテーブルでは、ブランドの構成比率の数値（第１の項目についての構成比率）とともに、ブランド内アイテムの構成比率の数値（第２の項目についての構成比率）が表示される。
【００４１】
そして、このような表示状態で、操作検出部３１により、１つのブランドの構成要素におけるある構成要素と隣接する構成要素の領域との間の境界６３、つまり、ブランド内アイテムの領域６２の端部を移動させる移動操作が検出されると、その操作に基づき、そのブランド内アイテムにおけるその２つの領域６２の面積を変動させて表示させ、さらに、その２つの領域６２の面積の変動に応じて、テーブル内のその２つの領域６２に対応する構成要素の数値をそれぞれ変動させて表示させる。そのような移動操作としては、入力装置１３のマウスに対するドラッグ操作で所望の境界６３を移動させる操作が考えられる。そして、ユーザによる境界６３に対する移動操作に基づきグラフが変化とともに、表示制御部３３は、そのグラフの変化に対応して、グラフとともに表示されている数値群の値を変化させて表示させる。
【００４２】
例えば、図４の例において、ブランドの構成要素「Ｊ−Ｏｎｅ」について商品種類「スーツ」と「ジャケット」との境界６３が移動させられると、画面下部のテーブル内のブランド内アイテム構成比率の「スーツ」および「ジャケット」の数値が変化して表示される。
【００４３】
また、そのような表示状態で、操作検出部３１により、あるブランドの構成要素の領域と隣接するブランドの構成要素の領域との間の境界６４、つまり、ブランドの構成要素の領域６１の端部を移動させる移動操作が検出されると、その操作に基づき、その２つの領域６１の面積を変動させて表示させ、さらに、その２つの領域６１の面積の変動に応じて、テーブル内のその２つの領域６１に対応する構成要素の数値をそれぞれ変動させて表示させる。そのような移動操作としては、入力装置１３のマウスに対するドラッグ操作で所望の境界６４を移動させる操作が考えられる。そして、ユーザによる境界６４に対する移動操作に基づきグラフが変化とともに、表示制御部３３は、そのグラフの変化に対応して、グラフとともに表示されている数値群の値を変化させて表示させる。
【００４４】
例えば、図４の例において、ブランドの構成要素「Ｊ−Ｏｎｅ」について商品種類「スーツ」と「Ｊ−Ｔｗｏ」との境界６４が移動させられると、画面下部のテーブル内のブランド比率の「Ｊ−Ｏｎｅ」および「Ｊ−Ｔｗｏ」の数値が変化して表示される。
【００４５】
以上のように、上記実施の形態２によれば、表示制御部３３は、表示装置１４の１画面に、第１の項目（ここではブランド）についての複数の構成要素（ここでは「Ｊ−Ｏｎｅ」、「Ｊ−Ｔｗｏ」など）のそれぞれおよび第２の項目（ここでは商品種類）についての複数の構成要素（ここでは「スーツ」、「ジャケット」など）のそれぞれの２次元状の構成比率からなる数値群（ここでは画面下部のテーブル）と、第１の項目の複数の構成要素の構成比率に応じた面積を割り当てた複数の領域６１を画面横方向へ配列させて第１の項目の構成要素の構成比率を表し、第１の項目のそれぞれの構成要素についての領域６１内において、第２の項目の構成要素の構成比率に応じた面積を割り当てた複数の領域６２を画面縦方向へ配列させて第２の項目の構成要素の構成比率を表すグラフとを表示させる。その上で、表示制御部３３は、画面横方向または縦方向に配列された２つの領域の境界６３，６４を移動させる移動操作に基づき、その境界６３（または境界６４）の両側の領域６２（または領域６１）の面積を変動させて表示させ、さらに、それらの領域６１，６２の面積の変動に応じて、数値群においてそれらの領域６１，６２に対応する構成要素の構成比率を同時に変動させて表示させる。そして、データ処理部３２は、数値群における構成比率に対応させて、販売計画データ２２における構成要素の構成比率の数値を変更する。つまり、２つの項目（ここではブランドと商品種類）の構成要素を２次元的に配し、その構成比率をグラフにて表示する。
【００４６】
これにより、グラフにて全体のバランスを視覚的に確認しつつ各構成要素の構成比率の数値を調整することができるため、直感的かつ簡単な操作で、販売計画に関する各構成要素の数値を決定することができる。
【００４７】
実施の形態３．
本発明の実施の形態３に係る販売計画支援装置は、販売週を項目として各週の販売金額を棒グラフおよびテーブルの数値で表示する。なお、実施の形態３に係る販売計画支援装置の構成は、原則として実施の形態１のものと同様である。ただし、図示せぬ販売計画支援プログラムは以下の機能を実現するように変更される。
【００４８】
次に、実施の形態３に係る販売計画支援装置の動作を説明する。
【００４９】
実施の形態３では、表示制御部３３は、販売実績データ２１および販売計画データ２２に基づき、構成要素としての各販売週についての販売額を棒グラフ表示させるとともに、テーブルにて数値で表示させる。図５は、実施の形態３において販売計画を行うための表示装置１４の画面例を示す図である。図５に示すように、表示装置１４には、１画面で、前年実績（昨年実績）と本年計画についてのグラフが重畳させて表示されるとともに、そのグラフ内の各領域の面積に対応した数値群を含むテーブルが表示される。
【００５０】
そして、このような表示状態で、操作検出部３１により、本年計画のある販売週の棒グラフの端部８１を移動させるユーザによる移動操作が検出されると、その操作に基づき、その販売週の販売額の領域（つまり棒グラフ）の面積を変動させて表示させ、さらに、その領域の面積の変動に応じて、テーブル内のその領域に対応する構成要素の数値をそれぞれ変動させて表示させる。そのような移動操作としては、入力装置１３のマウスに対するドラッグ操作で所望の端部８１を移動させる操作が考えられる。そして、ユーザによる端部８１に対する移動操作に基づきグラフが変化とともに、表示制御部３３は、そのグラフの変化に対応して、グラフとともに表示されている数値群の値を変化させて表示させる。
【００５１】
以上のように、上記実施の形態３によれば、表示制御部３３は、表示装置１４の１画面に、複数の構成要素としての複数の販売期間（ここでは販売週）のそれぞれについての数値からなる数値群と、一方の軸方向に複数の販売期間を配列し他方の軸方向に数値に応じた長さを有する領域で各販売期間についての数値を表すグラフとを表示させる。その上で、表示制御部３３は、グラフにおけるある販売期間の領域の端部８１を移動させる移動操作に基づき、その領域の面積を変動させて表示させ、さらに、その領域の面積の変動に応じて、数値群においてその領域に対応する販売期間についての数値を変動させて表示させる。つまり、項目の構成要素（各販売週）の販売額を棒グラフで表示する。
【００５２】
これにより、グラフにて販売額全体のバランスを視覚的に確認しつつ各構成要素の販売額の数値を調整することができるため、直感的かつ簡単な操作で、販売計画に関する各構成要素の数値を決定することができる。
【００５３】
実施の形態４．
本発明の実施の形態４に係る販売計画支援装置は、実施の形態３と同様に、販売週を項目として各週の販売金額を棒グラフおよびテーブルの数値で表示する。なお、実施の形態４に係る販売計画支援装置の構成は、原則として実施の形態３のものと同様である。ただし、図示せぬ販売計画支援プログラムは以下の機能を実現するように変更される。
【００５４】
図６は、実施の形態４において販売計画を行うための表示装置１４の画面例を示す図である。図６では、画面上部に数値群が表示され、画面下部にグラフが表示されている。画面上部では、各店舗および全店舗の合計につき、本年計画および昨年実績の数量データ（商品の週頭在庫、投入数、売上数、ただし、図中のＰはプロパー販売、Ｓはセール販売を示す）並びにそれらの対比データが販売週ごとに表示される。
【００５５】
図６に示すように、販売週ごとに本年計画の棒グラフと前年実績（昨年実績）の棒グラフとが対比されて表示される。図６では、グラフは店舗ごとの表示とされ、本年計画の各販売週のグラフの右脇に前年実績（昨年実績）の各販売週のグラフが表示される。図６では、画面下部に、各販売週の投入数が表示されている。
【００５６】
したがって、本年計画の棒グラフの上端を上下方向へ移動させるユーザ操作があると、表示制御部３３は、その操作に応じて、その棒グラフの上端の位置を変更させて表示させる。つまり、棒グラフの長さが変化する。そして、表示制御部３３は、それに伴って、画面上部の数値群のうち、対応する数値を変動させて表示させる。また、データ処理部３２は、その数値の変動を販売計画データ２２に反映させる。
【００５７】
以上のように、上記実施の形態４によれば、実施の形態３と同様の効果が得られる。
【００５８】
なお、上述の各実施の形態は、本発明の好適な例であるが、本発明は、これらに限定されるものではなく、本発明の要旨を逸脱しない範囲において、種々の変形、変更が可能である。
【００５９】
例えば、上記各実施の形態において、グラフ表示のうち、前年実績（昨年実績）の数値およびグラフについてはユーザ操作による変更を禁止するようにしてもよい。
【００６０】
また、上記実施の形態では、グラフ形式として棒グラフを使用しているが、円グラフ、折線グラフなどの他のグラフ形式を使用するようにしてもよい。
【００６１】
また、上記実施の形態では、グラフの２つの構成要素の領域の境界４２ａ〜４２ｅ，６１，６２を移動させると、その境界の両脇の２つの領域の面積のみが変化するようにしているが、その代わりに、その境界から一方側すべての構成要素の領域の面積を同一の割合で変化させるようにしてもよい。その場合、例えば図３の場合には、境界４２ｂを右方向に移動させると、「渋谷店」の領域４１ｂの構成比率が増加し、「新宿店」、「原宿店」、「上野店」および「品川店」の領域４１ｃ〜４１ｆの構成比率がそれぞれ減少する。その場合、「代々木本店」の領域４１ａの構成比率は変化しない。
【００６２】
また、上記実施の形態２において、第２の項目である商品種類について複数の色を使用して、図４の構成要素の見出し（「スーツ」などのテキストやその背景）の表示と同一職となるように色を関連づけて領域６２を表示するようにしてもよい。
【産業上の利用可能性】
【００６３】
本発明は、例えば、アパレル製品の販売計画支援に適用可能である。
【図面の簡単な説明】
【００６４】
【図１】本発明の実施の形態１に係る在庫管理装置の構成を示すブロック図である。
【図２】販売計画支援プログラムで実現される処理部を示すブロック図である。
【図３】実施の形態１において販売計画を行うための画面例を示す図である。
【図４】実施の形態２において販売計画を行うための画面例を示す図である。
【図５】実施の形態３において販売計画を行うための画面例を示す図である。
【図６】実施の形態４において販売計画を行うための画面例を示す図である。
【符号の説明】
【００６５】
１４  表示装置
２２  販売計画データ
３２  データ処理部
３３  表示制御部
４１ａ〜４１ｆ，６１，６２  領域
４２ａ〜４２ｅ，６３，６４  境界（領域の端部）
【図１】
2008112427.tif 000003
【図２】
2008112427.tif 000004
【図３】
2008112427.tif 000005
【図４】
2008112427.tif 000006
【図５】
2008112427.tif 000007
【図６】
2008112427.tif 000008